(57)【要約】【課題】  異なる弾力区域を有するブラジャーのカップを提供する。【解決手段】  外側区域１１と、内側区域１２と、中央区域１３とを有し、該外側区域１１は、使用者の腋の下に対応すると共に、非弾性に形成され、その上に肩つりひもと連結するための耳部１１１が設けられている。内側区域１２は、使用者の胸の谷間に対応すると共に、所定の弾性力を有し、他のカップ１における内側区域１２と連結可能である。中央区域１３は、外側区域１１と内側区域１２との間に位置すると共に、内側区域１２の弾性力より大きな弾性力を有する。【選択図】  図１
0003151759.tif 000002
【実用新案登録請求の範囲】
【請求項１】
ブラジャーのカップであって、
外側区域と、内側区域と、中央区域とを有し、
前記外側区域は、使用者の腋の下に対応すると共に、非弾性に形成され、その上に肩つりひもと連結するための耳部が設けられ、
前記内側区域は、使用者の胸の谷間に対応すると共に、所定の弾性力を有し、他のカップにおける内側区域と連結可能であり、
前記中央区域は、前記外側区域と前記内側区域との間に位置すると共に、前記内側区域の弾性力より大きな弾性力を有することを特徴とするブラジャーのカップ。
【請求項２】
前記カップに対する前記中央区域、前記外側区域及び前記内側区域の相対面積は、前記中央区域が最も大きく、次に前記外側区域が大きく、前記内側区域が最も小さいことを特徴とする請求項１に記載のブラジャーのカップ。
【請求項３】
前記中央区域は、前記カップの全面積の４５％の面積であり、前記外側区域は、前記カップの全面積の４０％の面積であり、前記内側区域は、前記カップの全面積の１５％の面積であることを特徴とする請求項１又は２に記載のブラジャーのカップ。
【考案の詳細な説明】
【技術分野】
【０００１】
本考案は、特に異なる弾力区域を有するブラジャーのカップに関するものである。
【背景技術】
【０００２】
２００７年３月１日に公告された台湾実用新案第Ｍ３０６７８５号「ブラジャーのカップ構造」（特許文献１）には、胸側における肉を包覆して胸へ集中するカップが開示されている。該カップの外側に上方へ延伸する補助包覆区域が設けられると共に、下側に底部シートが設けられ、該底部シートの両側上部に該補助包覆区域と連接する接続区域が設けられ、該底部シートの両側にバックシートが設けられ、該バックシートとカップとの間に肩つりひもが設けられている。
【先行技術文献】
【特許文献】
【０００３】
【特許文献１】台湾実用新案第Ｍ３０６７８５号
【考案の概要】
【考案が解決しようとする課題】
【０００４】
しかしながら、前記特許文献１に開示されるカップは、胸側における肉を包覆して胸へ集中する効果を強調するが、その緊縛感により不快感を起こしやすいという恐れがあるので、更に改良する必要がある。
【０００５】
故に、異なる弾力区域を有するブラジャーのカップを提供できれば、効能性と快適性を共に保有することができる。
【０００６】
そこで、案出されたのが本考案であって、異なる弾力区域を有するブラジャーのカップを提供することを目的としている。
【課題を解決するための手段】
【０００７】
請求項１に記載の考案は、ブラジャーのカップであって、外側区域と、内側区域と、中央区域とを有し、前記外側区域は、使用者の腋の下に対応すると共に、非弾性に形成され、その上に肩つりひもと連結するための耳部が設けられ、前記内側区域は、使用者の胸の谷間に対応すると共に、所定の弾性力を有し、他のカップにおける内側区域と連結可能であり、前記中央区域は、前記外側区域と前記内側区域との間に位置すると共に、前記内側区域の弾性力より大きな弾性力を有する。
【０００８】
請求項２に記載の考案では、前記カップに対する前記中央区域、前記外側区域及び前記内側区域の相対面積は、前記中央区域が最も大きく、次に前記外側区域が大きく、前記内側区域が最も小さい。
【０００９】
請求項３に記載の考案では、前記中央区域は、前記カップの全面積の４５％の面積であり、前記外側区域は、前記カップの全面積の４０％の面積であり、前記内側区域は、前記カップの全面積の１５％の面積である。
【考案の効果】
【００１０】
本考案は上記の課題を解決するものであり、以下のような効果を達成できる。
異なる弾性力を有する外側区域、内側区域及び中央区域が設けられるので、使用者の乳房を集中させたり向上させて調整できると共に、使用の快適性も向上することができる。
【図面の簡単な説明】
【００１１】
【図１】本考案の一実施形態によるブラジャーのカップの斜視図。
【図２】本考案の一実施形態によるブラジャーのカップの製造過程を示す参考斜視図。
【図３】本考案の一実施形態によるブラジャーのカップの正面図。
【図４】本考案の一実施形態によるブラジャーのカップの使用状態を示す正面図。
【考案を実施するための形態】
【００１２】
以下、図面を参照して本考案の好適な実施の形態を詳細に説明する。尚、下記実施形態は、本考案の好適な実施の形態を示したものにすぎず、本考案の技術的範囲は、下記実施形態そのものに何ら限定されるものではない。
【００１３】
（一実施形態）
図１〜図３に示すように、本考案の一実施形態によるブラジャーのカップ１は、外側区域１１と、内側区域１２と、中央区域１３とを有し、外側区域１１は、使用者の腋の下に対応すると共に、弾性力を有しなく、その上に肩つりひも（図示せず）と連結するための耳部１１１が設けられ、内側区域１２は、使用者の胸の谷間に対応すると共に、少し弾性力を有し、内側区域１２が他のカップ１における内側区域１２と連結することができ、中央区域１３は、外側区域１１と内側区域１２との間に位置されると共に、内側区域１２の弾性力より大きい弾性力を有する。該カップ１に対する中央区域１３、外側区域１１及び内側区域１２の相対面積は、中央区域１３が最も大きく、次は外側区域１１であり、内側区域１２が最も小さい。
【００１４】
中央区域１３は、女性の乳房を包覆する主な部位であるので、カップ１の全面積の４５％の面積であり、外側区域１１は、使用者の腋の下に対応する部位であるので、カップ１の全面積の４０％の面積であり、内側区域１２は、使用者の胸の谷間に対応すると共に、他のカップ１における内側区域１２と連結するものであるので、カップ１の全面積の１５％の面積である。
【００１５】
又、カップ１の製造は、従来の製造工程で異なる弾性区域を有する半製品を製造し、そして該半製品を熱圧、裁断などの工程により、カップ１の製品を完成する。
【００１６】
図４に示すように、ブラジャーのカップ１における外側区域１１の耳部１１１は、肩つりひも（図示せず）と連結し、図面中の上方へ向かう矢印に示す該肩つりひもの引く力を受け、外側区域１１は、弾性力を全く有しないので、優れた固定効果を有し、故にカップ１が簡単に位置ずれするという問題を防止できる。
【００１７】
そして、カップ１の内側区域１２は、他のカップ１の内側区域１２と連結すると共に、図面中の左右方向へ向かう矢印に示す引く力を受け、内側区域１２は、少し弾性力を有するので、カップ１が簡単に位置ずれするという問題を防止できる。
【００１８】
更に、中央区域１３は、女性の乳房を包覆する主な部位であるので、優れた弾性力と柔軟性を有しなければならず、故に内側区域１２の弾性力より大きい弾性力を有する必要がある。
【産業上の利用可能性】
【００１９】
本考案は上記の構成を有するので、以下のような効果を達成できる。
異なる弾性力を有する外側区域、内側区域及び中央区域が設けられるので、使用者の乳房を集中させたり向上させて調整できると共に、使用の快適性も向上することができる。
【符号の説明】
【００２０】
１：カップ、１１：外側区域、１２：内側区域、１３：中央区域、１１１：耳部
【図１】
0003151759.tif 000003
【図２】
0003151759.tif 000004
【図３】
0003151759.tif 000005
【図４】
0003151759.tif 000006